(57)【要約】【課題】特に大きな引き抜き力により特徴付けられる、支持部材に取付部材を固定するための固定装置を提供する。【解決手段】トッププレート（１）に形成されたばね脚部（４、５）を備える固定装置において、支持側壁用凹部（９、１０）内に配置されている支持側壁（１３、１４）が設けられている。それにより固定装置の極めて大きな引き抜き力が得られる。【選択図】図１
2013519852.tif 000002
【特許請求の範囲】
【請求項１】
支持部材に取付部材を固定するための固定装置であって、
少なくとも２つのばね脚部（４、５）が形成されているトッププレート（１）を備え、前記ばね脚部は、各々、折り曲げ部分（１１）を介して互いに結合されている第１脚部分（８）と第２脚部分（１２）とを有し、前記各ばね脚部（４、５）は２つの支持側壁（１３、１４）を有し、該支持側壁は、一方の脚部分（８、１２）に形成されており且つ各々他方の脚部分（８、１２）を取り囲んでいる
という形式の装置において、
前記各支持側壁（１３、１４）は、一方の脚部分（８）に設けられた支持側壁用凹部（９、１０）内に配置されており、そして該支持側壁用凹部を他方の脚部分（１２）に形成された前記支持側壁（１３、１４）が取り囲んでいること
を特徴とする固定装置。
【請求項２】
前記折り曲げ部分（１１）の方を指向する前記支持側壁（１３、１４）のエッジ（２１）と、前記トッププレート（１）の方を指向する前記支持側壁用凹部（９、１０）のエッジ（２２）とが、前記ばね脚部（４、５）の弛緩された配置状態では、最大でも前記支持側壁（１３、１４）の材料厚に対応する間隔をおいて互いに離間されていること
を特徴とする、請求項１に記載の固定装置。
【請求項３】
前記トッププレート（１）とは反対の方を指向する前記支持側壁（１３、１４）のエッジ（２１）と、前記トッププレート（１）の方を指向する前記支持側壁用凹部（９、１０）のエッジ（２２）とが、互いに直角に配向されていること
を特徴とする、請求項１又は２に記載の固定装置。
【請求項４】
前記支持側壁（１３、１４）は、前記トッププレート（１）の方を指向する側において、各々、前記トッププレート（１）と平行に配向されている当接部分（１５）を有すること
を特徴とする、請求項１〜３のいずれか一項に記載の固定装置。
【請求項５】
前記ばね脚部（４、５）は各々２つのブロック側壁（１６、１７）を有し、該ブロック側壁は他方のばね脚部（４、５）の方向へ指向しており、該ブロック側壁（１６、１７）はそれらの自由端において舌状部分（１８、１９）を有し、該舌状部分は、対向位置するばね脚部（４、５）に形成されたブロック側壁（１６、１７）の舌状部分（１８、１９）と係合状態にあること
を特徴とする、請求項１〜４のいずれか一項に記載の固定装置。
【請求項６】
前記トッププレート（１）は少なくとも１つのアクセス開口部（６、７）を有すること、そして前記各ばね脚部（４、５）にはアクセス舌片（２０）が形成されており、該アクセス舌片は、前記アクセス開口部（６、７）を介して、前記支持部材との前記ばね脚部（４、５）の背後係合を解除するために、工具がアクセス可能であること
を特徴とする、請求項１〜５のいずれか一項に記載の固定装置。
【発明の詳細な説明】
【技術分野】
【０００１】
本発明は、特許請求項１の上位概念部（前置部）に記載した固定装置に関する。
【背景技術】
【０００２】
この種の固定装置は下記特許文献１から公知である。支持部材に取付部材を固定するための当該公知の固定装置は、少なくとも２つのばね脚部が形成されているトッププレート（デッキプレート Deckplatte）を有する。各ばね脚部は、折り曲げ部分を介して互いに結合されている第１脚部分と第２脚部分とを有する。更に各ばね脚部には２つの支持側壁(Abstuetzwangen)が設けられおり、これらの支持側壁は、一方の脚部分に形成されており且つ各々他方の脚部分を取り囲んでいる。これらの支持側壁は、固定装置が規定どおりに配置された場合に、支持部材に設けられた受容穴の縁部に背後係合し、それにより固定装置が確実に支持部材において固定される。
【先行技術文献】
【特許文献】
【０００３】
【特許文献１】DE 20 2006 019 411 U1（実用新案登録明細書）
【発明の概要】
【発明が解決しようとする課題】
【０００４】
本発明の基礎を成す課題は、特に大きな引き抜き力（固定装置を支持部材と取付部材から引き抜こうとする力）により特徴付けられる、冒頭に掲げた形式の固定装置を提供することである。
【課題を解決するための手段】
【０００５】
前記課題は、冒頭に掲げた形式の固定装置において、本発明に従い、特許請求項１の特徴を有する固定装置により解決される。
【発明の効果】
【０００６】
各支持側壁が、一方の脚部分に設けられた支持側壁用凹部（支持側壁用空所部 Abstuetzwangenfreimachung）内に配置されており、そして該支持側壁用凹部を他方の脚部分に形成された前記支持側壁（複数）が取り囲んでいることにより、支持側壁が、トッププレートとは反対側のエッジにより、これらのエッジに対して直接的に対向位置する支持側壁用凹部のエッジにおいて支持され、それにより大きな引き抜き力に対して特に大きな抵抗能力（抵抗力）が与えられる。
【発明を実施するための形態】
【０００７】
本発明の更なる目的に適った展開形態は、下位請求項の対象である。
【０００８】
本発明の更なる目的に適った展開形態及び長所は、図面に図示された本発明の実施例に関する以下の説明から明らかである。
【図面の簡単な説明】
【０００９】
【図１】２つのばね脚部が形成されているトッププレートを備えた本発明による固定装置の一実施例を示す透視図である。
【図２】図１による実施例を、トッププレートに対する俯瞰図として示す図である。
【図３】図１による実施例を、ばね脚部の断面図として示す図である。
【図４】図１による実施例を、図３による断面図に対して９０度回転された断面を有する断面図として示す図である。
【実施例】
【００１０】
図１は、本発明による固定装置の一実施例を透視図として示している。金属帯材（金属ストリップ）から打ち抜き曲げプロセスにより製造された、図１による実施例の固定装置は、実質的に長方形の形状を有するトッププレート（デッキプレート Deckplatte）１を有し、当該長方形の各短辺側には、図１では非図示の取付部材に載置するための折り曲げられたサポート舌片２、３が形成されている。トッププレート１の各長辺側には、トッププレート１から離れていくように延在するばね脚部４、５が形成されている。更にトッププレート１には、ばね脚部４、５が形成されている長尺の長辺側のほぼ中央部において、２つのアクセス開口部６、７が設けられており、これらのアクセス開口部６、７は、トッププレート１においてばね脚部４、５の反対側から、ばね脚部４、５により包囲された内部空間へのアクセス(Zugriff)を可能にしている。
【００１１】
各ばね脚部４、５は、第１脚部分として、トッププレート１と結合されている外側脚部分８を有する。各外側脚部分８には、外側（側部外方）へ開口する支持側壁用凹部（支持側壁用空所部 Abstuetzwangenfreimachung）９、１０が形成されており、これらの支持側壁用凹部９、１０は、外側脚部分８の長手方向においてほぼ中央部に位置している。
【００１２】
各外側脚部分８のトッププレート１とは反対側の端部には、折り曲げ部分１１が設けられており、折り曲げ部分１１は、各外側脚部分８を第２脚部分としての内側脚部分１２と結合している。これらの内側脚部分１２は、各外側脚部分８の間の内部空間に配設されており、折り曲げ部分１１からトッププレート１の方向へ延在している。各内側脚部分１２には２つの支持側壁１３、１４が形成されており、これらの支持側壁１３、１４は、内側脚部分１２から離れてゆき支持側壁用凹部９、１０を通り外側脚部分８の外側面を越えるように延在している。この際、支持側壁１３、１４は、外側脚部分８と内側脚部分１２に対してほぼ直角に配向されており、支持側壁１３、１４には、取り付け力を比較的小さく保つために、外側へ指向するエッジ成形部(Kantenanpraegung)が設けられている。
【００１３】
各支持側壁１３、１４は、折り曲げ部分１１とは反対側の端部において当接部分１５を有し、これらの当接部分１５は、支持側壁１３、１４に対して直角に配向され且つトッププレート１とおおよそ平行に配向されており、この際、これらの当接部分１５は、内側脚部分１２に形成された支持側壁１３、１４から互いに向き合うように指向して配向形成されている。
【００１４】
本発明による固定装置が規定どおりに配置された場合には、当接部分１５が、図１では非図示の支持部材に設けられた受容穴の縁部に背後係合(hintergreifen)し、それにより取付部材が支持部材に固定される。
【００１５】
トッププレート１と支持側壁用凹部９、１０との間で各外側脚部分８には、サポート舌片２、３に指向する側の側縁部においてブロック側壁(Blockierwange)１６、１７が形成されており、これらのブロック側壁１６、１７は、各々他方の外側脚部分８の方向へ延在し、各々２つの舌状部分１８、１９を有するように形成されており、これらの舌状部分１８、１９は、互いに交互に組み合わされており(gegeneinander verschraenkt)、対向位置するブロック側壁１６、１７の（対応する）舌状部分１８、１９と（当接するように）重なり合っている。それにより外側脚部分８の（内側への）曲げのためのストッパが提供されていることになる。
【００１６】
図２は、図１による実施例を、アクセス開口部６、７を通して内側が見えるように、トッププレート１に対する俯瞰図として示している。図２から、各内側脚部分１２には、該内側脚部分１２に対して折り曲げられているアクセス舌片２０が形成されていることが見てとれる。それにより図２では非図示の分解用工具の２つの先部分（フォークアーム）を（アクセス開口部６、７を通して）挿入することにより、各内側脚部分１２を各外側脚部分８から離れるように互いに向かって動かすことができる。それにより、ばね脚部４、５の弛緩された配置状態では外側脚部分８を越えて突出する支持側壁１３、１４を、外側脚部分８の外側面と少なくとも面一の配置状態へと動かすことができ、それにより本発明による固定装置を、取付部材が取り付けられる図２では非図示の支持部材との係合状態から解除することができる。
【００１７】
図３は、図１による実施例を、ばね脚部４、５について図２のIII-III線に沿った縦断面図として示している。図３から、外側脚部分８の圧縮行程（内側への撓み曲げ行程 Einfederweg）を制限する舌状部分１８、１９の重なり合う配置状態が特に良好に見てとれる。
【００１８】
図４は、図１による実施例を、図３の断面に対して９０度回転された断面を有する、図３のIV-IV線に沿った断面図として示している。図４から、支持側壁１３、１４のトッププレート１とは反対側のエッジ２１は、好ましくは最大でも金属板材の材料厚に対応する僅かな間隔をおいて、支持側壁用凹部９、１０のトッププレート１の方へ向けられたエッジ２２に対向位置し、それによりこれらのエッジ２１、２２は、トッププレート１に対する内側脚部分１２の相対運動が極めて小さい場合にも既に互いに当接状態（ストップ状態）となり、従って本発明による固定装置には、大きな引き抜き力に対して極めて大きな抵抗力が与えられている。
【符号の説明】
【００１９】
１            トッププレート（デッキプレート）
２、３        サポート舌片
４、５        ばね脚部
６、７        アクセス開口部
８            外側脚部分（第１脚部分）
９、１０      支持側壁用凹部（支持側壁用空所部）
１１          折り曲げ部分
１２          内側脚部分（第２脚部分）
１３、１４    支持側壁
１５          当接部分
１６、１７    ブロック側壁
１８、１９    舌状部分
２０          アクセス舌片
２１          エッジ
２２          エッジ
【図１】
2013519852.tif 000003
【図２】
2013519852.tif 000004
【図３】
2013519852.tif 000005
【図４】
2013519852.tif 000006
【手続補正書】
【提出日】平成23年11月16日(2011.11.16)
【手続補正１】
【補正対象書類名】特許請求の範囲
【補正対象項目名】全文
【補正方法】変更
【補正の内容】
【特許請求の範囲】
【請求項１】
支持部材に取付部材を固定するための固定装置であって、
少なくとも２つのばね脚部（４、５）が形成されているトッププレート（１）を備え、前記ばね脚部は、各々、折り曲げ部分（１１）を介して互いに結合されている外側脚部分（８）と内側脚部分（１２）とを有し、前記各ばね脚部（４、５）は２つの支持側壁（１３、１４）を有し、該支持側壁は、一方の脚部分（８、１２）に形成されており且つ各々他方の脚部分（８、１２）を取り囲んでおり、
前記各支持側壁（１３、１４）は、前記外側脚部分（８）に設けられた支持側壁用凹部（９、１０）内に配置されており、そして該支持側壁用凹部を前記内側脚部分（１２）に形成された前記支持側壁（１３、１４）が取り囲んでいる
という形式の装置において、
前記ばね脚部（４、５）は各々２つのブロック側壁（１６、１７）を有し、該ブロック側壁は他方のばね脚部（４、５）の方向へ指向しており、該ブロック側壁（１６、１７）はそれらの自由端において舌状部分（１８、１９）を有し、該舌状部分は、対向位置するばね脚部（４、５）に形成されたブロック側壁（１６、１７）の舌状部分（１８、１９）と係合状態にあること
を特徴とする固定装置。
【請求項２】
前記折り曲げ部分（１１）の方を指向する前記支持側壁（１３、１４）のエッジ（２１）と、前記トッププレート（１）の方を指向する前記支持側壁用凹部（９、１０）のエッジ（２２）とが、前記ばね脚部（４、５）の弛緩された配置状態では、最大でも前記支持側壁（１３、１４）の材料厚に対応する間隔をおいて互いに離間されていること
を特徴とする、請求項１に記載の固定装置。
【請求項３】
前記トッププレート（１）とは反対の方を指向する前記支持側壁（１３、１４）のエッジ（２１）と、前記トッププレート（１）の方を指向する前記支持側壁用凹部（９、１０）のエッジ（２２）とが、互いに直角に配向されていること
を特徴とする、請求項１又は２に記載の固定装置。
【請求項４】
前記支持側壁（１３、１４）は、前記トッププレート（１）の方を指向する側において、各々、前記トッププレート（１）と平行に配向されている当接部分（１５）を有すること
を特徴とする、請求項１〜３のいずれか一項に記載の固定装置。
【請求項５】
前記トッププレート（１）は少なくとも１つのアクセス開口部（６、７）を有すること、そして前記各ばね脚部（４、５）にはアクセス舌片（２０）が形成されており、該アクセス舌片は、前記アクセス開口部（６、７）を介して、前記支持部材との前記ばね脚部（４、５）の背後係合を解除するために、工具がアクセス可能であること
を特徴とする、請求項１〜４のいずれか一項に記載の固定装置。
【手続補正書】
【提出日】平成24年8月23日(2012.8.23)
【手続補正１】
【補正対象書類名】明細書
【補正対象項目名】０００３
【補正方法】変更
【補正の内容】
【０００３】
【特許文献１】DE 20 2006 019 411 U1（実用新案登録明細書）
【特許文献２】DE 20 2007 001 575 U1（実用新案登録明細書）
【手続補正２】
【補正対象書類名】明細書
【補正対象項目名】０００５
【補正方法】変更
【補正の内容】
【０００５】
前記課題は、冒頭に掲げた形式の固定装置において、本発明に従い、特許請求項１の特徴を有する固定装置により解決される。
即ち、本発明の一視点により、支持部材に取付部材を固定するための固定装置であって、少なくとも２つのばね脚部が形成されているトッププレートを備え、前記ばね脚部は、各々、折り曲げ部分を介して互いに結合されている外側脚部分と内側脚部分とを有し、前記各ばね脚部は２つの支持側壁を有し、該支持側壁は、一方の脚部分に形成されており且つ各々他方の脚部分を取り囲んでおり、前記各支持側壁は、前記外側脚部分に設けられた支持側壁用凹部内に配置されており、そして該支持側壁用凹部を前記内側脚部分に形成された前記支持側壁が取り囲んでいるという形式の装置において、前記ばね脚部は各々２つのブロック側壁を有し、該ブロック側壁は他方のばね脚部の方向へ指向しており、該ブロック側壁はそれらの自由端において舌状部分を有し、該舌状部分は、対向位置するばね脚部に形成されたブロック側壁の舌状部分と係合状態にあることを特徴とする固定装置が提供される。
【手続補正３】
【補正対象書類名】明細書
【補正対象項目名】０００７
【補正方法】変更
【補正の内容】
【０００７】
本発明の更なる目的に適った展開形態は、下位請求項の対象である。
本発明において下記の形態が可能である。尚、本願の特許請求の範囲に付記されている図面参照符号は専ら本発明の理解の容易化のためのものであり、図示の形態への限定を意図するものではないことを付言する。
（形態１）支持部材に取付部材を固定するための固定装置であって、少なくとも２つのばね脚部が形成されているトッププレートを備え、前記ばね脚部は、各々、折り曲げ部分を介して互いに結合されている外側脚部分と内側脚部分とを有し、前記各ばね脚部は２つの支持側壁を有し、該支持側壁は、一方の脚部分に形成されており且つ各々他方の脚部分を取り囲んでおり、前記各支持側壁は、前記外側脚部分に設けられた支持側壁用凹部内に配置されており、そして該支持側壁用凹部を前記内側脚部分に形成された前記支持側壁が取り囲んでいるという形式の装置において、前記ばね脚部は各々２つのブロック側壁を有し、該ブロック側壁は他方のばね脚部の方向へ指向しており、該ブロック側壁はそれらの自由端において舌状部分を有し、該舌状部分は、対向位置するばね脚部に形成されたブロック側壁の舌状部分と係合状態にあること。
（形態２）前記折り曲げ部分の方を指向する前記支持側壁のエッジと、前記トッププレートの方を指向する前記支持側壁用凹部のエッジとが、前記ばね脚部の弛緩された配置状態では、最大でも前記支持側壁の材料厚に対応する間隔をおいて互いに離間されていることが好ましい。
（形態３）前記トッププレートとは反対の方を指向する前記支持側壁のエッジと、前記トッププレートの方を指向する前記支持側壁用凹部のエッジとが、互いに直角に配向されていることが好ましい。
（形態４）前記支持側壁は、前記トッププレートの方を指向する側において、各々、前記トッププレートと平行に配向されている当接部分を有することが好ましい。
（形態５）前記トッププレートは少なくとも１つのアクセス開口部を有すること、そして前記各ばね脚部にはアクセス舌片が形成されており、該アクセス舌片は、前記アクセス開口部を介して、前記支持部材との前記ばね脚部の背後係合を解除するために、工具がアクセス可能であることが好ましい。
【国際調査報告】
2013519852.tif 000007
2013519852.tif 000008
2013519852.tif 000009
2013519852.tif 000010
2013519852.tif 000011
2013519852.tif 000012